(57)【要約】      （修正有）【課題】立体の各種商品、例えば、弁当箱、衣料、マグカップ、医薬品、化粧用箱、各種酒類、その他の立体的な商品を下部開口部より袋体内部にほぼ一杯に詰め込まれるように充填し得るような下部開口の立体物収納用プラスチックフィルム袋を提供する。【解決手段】上方マチ部１及び下方マチ部２を有し、且つ上方が密封されてなるプラスチックフィルム袋体ａにおいて、袋体の裏面部と、この袋体の裏面部の下部と連続して形成される下方マチ部と、下方マチ部の下端部から連続して延出された接着フラップ部５と、袋体の表面部６とからなり、下方マチ部と袋体の表面部とは離間した状態で、袋体の裏面部と下方マチ部と袋体の表面部の両側部において熔断接着してなる。【選択図】図１
0003133406.tif 000002
【実用新案登録請求の範囲】
【請求項１】
上方マチ部及び下方マチ部を有し、且つ上方が密封されてなるプラスチックフィルム袋体において、袋体の裏面部と、この袋体の裏面部の下部と連続して形成される下方マチ部と、該下方マチ部の下端部から連続して延出された接着フラップ部と、袋体の表面部とからなり、前記下方マチ部と袋体の表面部とは離間した状態で、前記袋体の裏面部と下方マチ部と袋体の表面部の両側部において熔断接着したことを特徴とする下部開口の立体物収納用プラスチックフィルム袋。
【請求項２】
接着フラップ部は、その表面側の接着層には予め剥離膜片を付設し、該接着フラップ部を折り返して前記剥離膜片をはがすことによりプラスチックフィルム袋の表面部の下部に接着するようにした請求項１記載の下部開口の立体物収納用プラスチックフィルム袋。
【考案の詳細な説明】
【技術分野】
【０００１】この考案は、立体の各種商品、例えばべんとう箱、衣料、マグカップ、医薬品、化粧用箱、各種酒類、その他の立体的な商品を下部開口部より袋体内部にほぼ一杯に詰め込まれるように充填し得るような下部開口の立体物収納用プラスチックフィルム袋に関する。
【背景技術】
【０００２】従来は、商品展示用として、石鹸、弁当箱のような嵩張りのある立体性の内容物が袋体内部にほぼ一杯に詰め込まれるようなプラスチックフィルム製の商品包装袋では、上部に上部ガゼット部を有するようなプラスチックフィルム製の袋体では、その下部より立体性の内容物を入れる方式のものがあった。（例えば、特許文献１参照）
又、袋体の上方から立体性の内容物が袋体内部を入れるものとして、上部にガゼット部のない上部開口部がヘッダーの下縁近接位置に設けられるものがあった。（例えば特許文献２参照）【０００３】
【特許文献１】登録実用新案第２５２１１７１号
【０００４】
【特許文献２】登録実用新案第３０９５７８６号
【考案の解決しようとする課題】
【０００５】しかし、上記特許文献１では、下方より嵩張りのある立体性の内容物を入れるようにしてあるため、仮に下部に接着テープ、ボタン、ホックにて閉止されていたとしても、これらの係止具が完全に機能してない場合には常に内容物が落下する危険がある。更に、袋体の製作作業とは別に、前記のような係止具を装着する作業が必要でありコスト高になることは避けられない。
【０００６】又、特許文献２に示すものでは、ヘッダー部の横幅が下部袋体の横幅より小さい、いわゆる肩落ちタイプのプラスチックフィルム製の商品包装袋は、上方から立体性の内容物が袋体内部を入れる商品包装袋では、上方開口部が上部ヘッダーに近接して開口部が形成されているようなプラスチックフィルム製の商品包装袋では、上部ガゼット部がないために、立体性の商品を入れる際に、大きく開口しないので立体性収容物を入れることは極めて困難となる傾向がある。
仮に開口部から立体性収容物が入った場合でも、開口部両端が強く引っ張られることから、商品包装袋が開口部の両端から破損する危険性がある。
【０００７】従って、本考案の目的とするところは、嵩張りのある立体性の内容物が下方より入れやすく、しかも立体性の内容物を入れた後は形状の通り収容できると共に、接着フラップ部の接着面が前面下部及び左右マチ部下部の半分に接着するようにしてあるので、収納された商品が落下する危険性が皆無であると共に、商品包装袋の作成コストを極めて低廉とすることのでき、しかも上記のような欠点のないプラスチックフィルム製の商品包装袋を提供することである。
【課題を解決するための手段】
【０００８】本考案は、上記の問題点に鑑み、上方マチ部及び下方マチ部を有し、且つ上方が密封されてなるプラスチックフィルム袋体において、袋体の裏面部と、この袋体の裏面部の下部と連続して形成される下方マチ部とを、該下方マチ部の下端部から連続して延出された接着フラップ部を形成すると共に前記下方マチ部と袋体の表面部とは離間した状態で、この袋体の両側部において熔断接着してなる。
【０００９】更に、接着フラップ部は、その表面側の接着層には予め剥離膜片を付設し、該接着フラップ部を折り返して前記剥離膜片をはがすことによりプラスチックフィルム袋の表面部の下部に接着するようにしてなる。
【考案を実施するための最良の形態】
【実施例１】
【００１０】図１〜図４において、この考案の下部開口の立体物収納用プラスチックフィルム袋体ａは、上方マチ部１及び下方マチ部２を有し、且つ上方部３が密封されている。したがって、この立体物収納用プラスチックフィルム袋体ａに立体物品ｂを収容しようとする場合、下方の開口部より収容される。【００１１】立体物収納用プラスチックフィルム袋体ａの下部は、袋体の裏面部４と、この袋体の裏面部４の下部と連続して形成される下方マチ部２と、該下方マチ部２の下端部から連続して延出された下方接着フラップ部５と、前記袋体ａの表面部６とからなる。【００１２】更に、前記裏面部４と、上方マチ部１及び下方マチ部２と、下方接着フラップ部と、及び表面部６とを該袋体ａの左右両側熔断部７、７において熔断してなる溶着部１２が形成され、下方接着フラップ部５と表面部６とは連続していない。したがって、下方接着フラップ部５と表面部６の間が開口部８を形成することになる。【００１２】したがって、立体物品ｂはこの開口部８より収容する。立体物品ｂをプラスチックフィルム袋体ａの内部に収納した後、下方接着フラップ部５を牽引すると、下方マチ部２が引き出され、下方マチ部２は、プラスチックフィルム袋体ａの底部を形成することになる。【００１３】下方接着フラップ部５の表面側には接着面９となっており、該接着面９には離型紙１０が予め仮止めしてあるから、内部に収納された立体物品ｂを収納してなるプラスチックフィルム袋体ａの表面下部側に下方接着フラップ部５を折り返し、離型紙１０を剥がすと下方接着フラップ部５の表面側には感圧性の接着面９がプラスチックフィルム袋体ａの表面部下部に加圧接着することになる。【００１４】下方接着フラップ部５は、下方マチ部２の幅の中央部において連続しているので、その下方接着フラップ部５の接着範囲は、袋体ａの左右幅の中央部及び表面部６の全幅を接着することになる。即ち、袋体ａの全周囲の前側半分が接着することになる。【００１５】プラスチックフィルム袋体ａの上部マチ部１を設け、必要に応じて、上部マチ部１の中央部につり下げ用のヘッダー１１を形成してある。つり下げ用のヘッダー１１には、吊り掛け用孔１３を形成してある。【００１６】図５〜図６に示すプラスチックフィルム袋では、上方部につり下げ用のヘッダーを設けない下部開口の立体物収納用プラスチックフィルム袋を示してある。即ち、上部マチ部２１と下方マチ部２２を形成し、袋体の表面部２３と袋体の裏面部２４とを重畳した状態で、その左右端部２７を溶着して溶着部２９が形成されると共に、袋体の裏面部２４の下部に形成した下方マチ部２２の下端部に連続して下方接着フラップ２５を延出せしめると共に、この下方接着フラップ２５と前記袋体の表面部２３とは離間しているようにして開口させてあるものであると共に、下方接着フラップ２５の表面には接着面２６を形成してあるものである。接着面２６には予め離型紙２８が仮止めされている。【００１７】したがって、この下部開口の立体物収納用プラスチックフィルム袋でも、下部より立体物を収容して下方接着フラップ２５を折り返して前記離型紙２８を剥がして感圧性の接着面２６を袋体の表面部下部に加圧接着すればよい。
【考案の効果】
【００１８】この考案は、上記のように構成してあるので、立体の物品を美しく袋詰めできると共に、袋詰めされた物品は見た目に美しいので展示商品の商品価値を高めることが出来る。
また、プラスチックフィルム袋体の下部全面開口が可能になるので、商品の袋詰め作業が簡単且つ迅速に行うことができる。従来下部開口のプラスチックフィルム袋体は係合ボタンを付設していたが、このようなボタンの付設作業が無用になるので、下部開口のプラスチックフィルム袋体のコストが大幅に削減できると共に、製作の際の作業を比較的簡単である等産業上のメリットも大きい。更に、本考案では接着範囲が、ほぼ該袋対の外周の１／２の範囲、即ち表面の全面と、両側面の半分が接着されることになるので強力にに接着されることになる。
【図面の簡単な説明】
【００１９】
【図１】プラスチックフィルム袋体の斜視図
【図２】下部開口の立体物収納用プラスチックフィルム袋の中央縦断面図
【図３】内部に立体物を収容した状態の斜視図
【図４】内部に立体物を収容した状態の側面図
【図５】他の実施例を示す立体物収納用プラスチックフィルム袋の両側熔断前の斜視図
【図６】他の実施例を示す内部に立体物を収容した状態の側面図
【符号の説明】
１．．．上方マチ部
２．．．下方マチ部
３．．．上方部
４．．．袋体の裏面部
５．．．下方接着フラップ
６．．．袋体ａの表面部
７．．．左右両側熔断部
８．．．開口部
９．．．接着面
１０．．離型紙
１１．．つり下げ用のヘッダー
１２．．溶着部
１３．．吊り掛け用孔
２１．．上部マチ部
２２．．下方マチ部
２３．．袋体の表面部
２４．．袋体の裏面部
２５．．下方接着フラップ
２６．．接着面
２７．．左右端部
２８．．離型紙
２９．．溶着部
ａ．．．下部開口の立体物収納用プラスチック袋体
ｂ．．．立体物
【図１】
0003133406.tif 000003
【図２】
0003133406.tif 000004
【図３】
0003133406.tif 000005
【図４】
0003133406.tif 000006
【図５】
0003133406.tif 000007
【図６】
0003133406.tif 000008